(57)【要約】【課題】製作作業が面倒でなく、製造コストが低廉で、シックハウスの原因となることがなく、廃棄及び再利用が容易なコア式中空パネル及びそれに用いられるコア式中空パネル用部品を提供する。【解決手段】プラスチックからなる雄板部材１と雌板部材２とから構成されている。雄板部材１は薄板上の表面部材１ａを備えており、表面部材１ａの一面側には縦横に切込１ｂが入っている。表面部材１ａから突出して突出部１ｃが形成されている。雌板部材２は薄板上の表面部材２ａを備えており、表面部材２ａの一面側には縦横に切込２ｂが入れられている。表面部材２ａから突出して受部２ｃが形成されている。突出部１ｃと受部２ｃとは嵌合可能とされている。【選択図】図１０
2006057418.tif 000002
【特許請求の範囲】
【請求項１】
略板形状をなし、一面側に同一形状の突出部が整列して繰り返し形成されている雄板部材と、  略板形状をなし、一面側に該雄板部材の該突出部と嵌合可能な受部が各該突出部に整合する位置に整列して繰り返し形成されている雌板部材とからなり、  該雄板部材の該突出部と、該雌板部材の該受部とは脱着可能に嵌合されており、  該雄板部材及び該雌板部材はプラスチック素材から一体成型されていることを特徴とするコア式中空パネル。
【請求項２】
雄板部材の突出部間には、該雄板部材の一端側から他端側に達する切込が縦横に設けられており、  雌板部材の受部間には、該雌板部材の一端側から他端側に達する切込が縦横に設けられていることを特徴とする請求項１記載のコア式中空パネル。
【請求項３】
雄板部材の突出部は、断面がＸ字形状となるように互いに中央で交差する二枚の矩形板が該雄板部材の厚さ方向に垂設された構造とされており、  雌板部材の受部は、該雄板部材の該突出部と嵌合可能な四角枠が該雌板部材の厚さ方向に垂設された構造とされていることを特徴とする請求項１又は２記載のコア式中空パネル。
【請求項４】
雄板部材に整列して繰り返し形成されている突出部又は雌板部材に整列して繰り返し形成されている受部のどちらか一方の一列分が欠落した欠落部を有していることを特徴とする請求項２又は３記載のコア式中空パネル。
【請求項５】
略板形状をなし、一面側には同一形状の突出部が整列して繰り返し形成されており、他面側には該突出部と同一形状の部材が嵌合可能な受部が各該突出部に整合する位置に整列して繰り返し形成されており、プラスチック素材から一体成型されていることを特徴とするコア式中空パネル用部品。
【請求項６】
突出部又は受部のどちらか一方の一列分が欠落した欠落部を有しており、該欠落部に沿って折り曲げ可能とする切込が設けられていることを特徴とする請求項５記載のコア式中空パネル用部品。
【請求項７】
帯状の板材がＬ字形に屈曲された小口帯部と、該小口帯部の一面側に一列に整列して厚さ方向に複数突出する小口凸部とからなり、該小口凸部は請求項１乃至４のコア式中空パネルの突出部と受部とが嵌合された嵌合部に嵌合されることにより、該コア式中空パネルの小口が該小口帯部によって遮蔽可能とされており、プラスチック素材から一体成型されていることを特徴とするコア式中空パネル用部品。
【発明の詳細な説明】
【技術分野】
【０００１】
本発明は、建築内外装材料、建具、家具、子供用遊具、教育用造形材料等、様々な産業分野における工業デザイン造形物の構成要素として利用できるコア式中空パネル及びそれに用いられる部品に関するものである。
【背景技術】
【０００２】
従来、平行に対面して配置される２枚の板材と、板材と板材の間に配置されるコア材とからなるコア式中空パネルが知られている。このようなコア式中空パネルの具体例を図３１に示す。このコア式中空パネルは、格子状に組まれたコア材１００が外枠１０１内に嵌め込まれており、さらにコア材１００及び外枠１０１と板材１０２、１０３とが接着剤や溶接によって接合された構造とされている。
【０００３】
また、特許文献１にも、板材とコア材とが溶接や接着剤によって接合されたコア式中空パネルが提案されている。
【０００４】
【特許文献１】特開平１０−２０２７７１号公報
【０００５】
こうしたコア式中空パネルは、２枚の板材間存在するコア材によって機械的強度が保持される。また、板材間に多くの空間ができるため軽量であるという利点を有している。このため、建築内外装材料、建具、家具、子供用遊具、教育用造形材料等、様々な産業分野における工業デザイン造形物の構成要素として広く用いられている。
【発明の開示】
【発明が解決しようとする課題】
【０００６】
しかし、上記従来のコア式中空パネルでは、コア材と板材とを接合させるのに接着剤や溶接の手法を用いているため、接着剤の塗布及び乾燥からなる接着工程や、溶接用のロウ材を電気溶接やアルゴン溶接等の手法によって溶接を行う溶接工程を行わなければならない。このため、製作作業が面倒となり、ひいては製造コストの高騰化を招来するという問題があった。
【０００７】
また、接着剤を用いてコア材と板材とを接合した場合には、接着剤の成分がシックハウスの要因となることもある。
【０００８】
さらには、不要となったコア式中空パネルを廃棄しようとした場合、その製品が大きいため、そのまま廃棄するためには粗大ゴミとして取り扱わなければならず、廃棄処分に手間と費用とを要することとなっていた。また、コア式中空パネルを細かく切断することにより粗大ゴミでなくすることもできるが、丈夫なコア式中空パネルを細かく切断するには、やはり手間を要することとなる。
【０００９】
また、不要となったコア式中空パネルを再利用することも考えられるが、その大きさでしか使用できないコア式中空パネルを再利用できる場合は稀である。
【００１０】
本発明は、上記従来の実情に鑑みてなされたものであって、製作作業が面倒でなく、製造コストが低廉で、シックハウスの原因となることがなく、廃棄及び再利用が容易なコア式中空パネル及びそれに用いられるコア式中空パネル用部品を提供することを解決すべき課題としている。
【課題を解決するための手段】
【００１１】
本発明のコア式中空パネルは、略板形状をなし、一面側に同一形状の突出部が整列して繰り返し形成されている雄板部材と、略板形状をなし、一面側に該雄板部材の該突出部と嵌合可能な受部が各該突出部に整合する位置に整列して繰り返し形成されている雌板部材とからなり、該雄板部材の該突出部と、該雌板部材の該受部とは脱着可能に嵌合されており、該雄板部材及び該雌板部材はプラスチック素材から一体成型されていることを特徴とする。
【００１２】
本発明のコア式中空パネルでは、雄板部材に形成されている突出部と、雌板部材に形成されている受部とが嵌合されることによってコア材を形成することとなる。このため、接着剤の塗布及び乾燥からなる接着工程や、溶接用のロウ材を電気溶接やアルゴン溶接等の手法によって溶接を行う溶接工程といった面倒な作業を行うことなく製造することができ、製造コストの低廉化が可能となる。また、製造において接着剤を用いていないため、シックハウスの要因となることもない。
【００１３】
また、本発明のコア式中空パネルの表面に対して加重が掛かった場合には撓みが生じ、これにより雄板部材や雌板部材の表面に対して引張応力及び圧縮応力が働く。このため、摩擦力で嵌合している突出部は受部から斜め方向に飛び出そうとするが、飛び出そうとする力が強ければ強いほど摩擦力が強くなり、弱いと摩擦力は弱くなり、力のバランスがパネル面全体で保たれる。このため、本発明のコア式中空パネルの突出部及び受部の嵌合は強固なものとなる。なお、この場合において突出部の長さは長いほど受部から抜け難くなるため、強度的には有利となる。
【００１４】
さらには、雄板部材の突出部と雌板部材の受部とは脱着可能に嵌合されているため、不要となったコア式中空パネルを廃棄しようとした場合、嵌合部分を外すことによって雄板部材と雌板部材とに容易に分解することができる。こうしてバラバラにされた雄板部材及び雌板部材は、もはやコア式中空パネル構造を有していないため、細かく切断することも容易である。このため、粗大ゴミとしてでなく廃棄することも容易となり、廃棄処分要する手間と費用も低減できる。
【００１５】
また、不要となったコア式中空パネルを雄板部材と雌板部材とに分解し、必要な大きさ及び形状となるように切断した後、再び嵌合させることにより、コア式中空パネルを容易に再利用することもできる。
【００１６】
さらには、雄板部材及び該雌板部材はプラスチック素材から一体成型されているため、製造工程数が少なくて手間がかからず、製造コストも低廉となる 
【００１７】
したがって、本発明のコア式中空パネルによれば、製作作業が面倒でなく、製造コストが低廉で、シックハウスの原因となることがなく、廃棄及び再利用が容易となる。
【００１８】
本発明のコア式中空パネルでは、雄板部材の突出部間には、該雄板部材の一端側から他端側に達する切込が縦横に設けられており、雌板部材の受部間には、該雌板部材の一端側から他端側に達する切込が縦横に設けられていることが好ましい。
【００１９】
雄板部材や雌板部材にこのような切込が設けられていれば、ハサミやカッターナイフを用い、切込に沿って雄板部材や雌板部材を分割することが可能となる。このため、現場において必要とされる形状のコア式中空パネルを現場において製造することができる。このため、工場において目的用途ごとに大きさや形状の異なるコア式中空パネルをいくつも用意しておくという必要がなく、コア式中空パネルの製造コストをより低廉なものとすることができる。
【００２０】
また、不要となったコア式中空パネルを再利用する場合、嵌合部分を外して雄板部材と雌板部材とに分解し、さらに、切込に沿って新たな目的に応じた大きさ及び形状の雄板部材と雌板部材とした後、再び雄板部材と雌板部材とを嵌合させることによって、新たな目的のコア式中空パネルを容易に作ることができる。このため、コア式中空パネルの再利用がさらに容易になる。また、コア式中空パネルを廃棄する場合においても、嵌合部分を外した雄板部材及び雌板部材をさらに切込に沿ってさらに小さく切断することができるため、粗大ゴミ扱いとせずに一般の不燃ゴミとして処分することができる。
【００２１】
雄板部材の突出部と雌板部材の受部とは、嵌合可能な形状であれば用いることができる。例えば、雄板部材の突出部は断面がＸ字形状となるように互いに中央で交差する二枚の矩形板が該雄板部材の厚さ方向に垂設された構造とされており、雌板部材の受部は、該雄板部材の該突出部と嵌合可能な四角枠が該雌板部材の厚さ方向に垂設された構造とすることもできる。こうであれば、突出部の中央で直角に交差する二枚の矩形板同士が互いに支えあうようになるため、機械的強度に優れたコア式中空パネルとすることができる。
【００２２】
また、本発明のコア式中空パネルは、雄板部材に整列して繰り返し形成されている突出部又は雌板部材に整列して繰り返し形成されている受部のどちらか一方の一列分が欠落した欠落部を有するとすることもできる。こうであれば、欠落部を有する雄板部材又は雌板部材の切込から直角に屈曲させ、さらに、欠落部を有さない雌板部材又は雄板部材の切込から直角に屈曲させ、それらの間で互いに整合する突出部と受部とを嵌合させることにより、直角に折れ曲がったコーナー用のコア式中空パネルとすることができる。
【００２３】
本発明のコア式中空パネルの厚さを調節するために、以下のようなコア式中空パネル用部品を用いることができる。
【００２４】
すなわち、第１発明のコア式中空パネル用部品は、略板形状をなし、一面側には同一形状の突出部が整列して繰り返し形成されており、他面側には該突出部と同一形状の部材が嵌合可能な受部が各該突出部に整合する位置に整列して繰り返し形成されており、プラスチック素材から一体成型されていることを特徴とする。
【００２５】
こうであれば、このコア式中空パネル用部品を本発明のコア式中空パネルの厚さを増すための部品として使用することができる。すなわち、第１発明のコア式中空パネル用部品の突出部を本発明のコア式中空パネルの雌板部材の受部に嵌合させ、第１発明のコア式中空パネル用部品の受部を本発明のコア式中空パネルの雄板部材の突出部に嵌合させる。これにより、コア式中空パネル用部品が本発明のコア式中空パネルの雌板部材と雄板部材との間に挿入され、コア式中空パネルの厚さを増大させることができる。また、このコア式中空パネル用部品同士を突出部と受部との嵌合によって積み重ね、さらにそれを雌板部材と雄板部材との間に挿入すれば、コア式中空パネルの厚さをさらに大きくすることもできる。また、このコア式中空パネル用部品はプラスチック素材から一体成型されているため、製造工程数が少なくて手間がかからず、製造コストも低廉となる。
【００２６】
この場合において、突出部又は受部のどちらか一方の一列分が欠落した欠落部を有しており、該欠落部に沿って折り曲げ可能とする切込が設けられているとすることもできる。こうであれば、このコア式中空パネル用部品の欠落部に沿った切込から欠落部側に直角に折り曲げ、上記コーナー用のコア式中空パネルの雄板部材と雌板部材との間に配置させ、本コア式中空パネル用部品の突出部及び受部を、コーナー用のコア式中空パネルの雌板部材の受部及び雄板部材の突出部にそれぞれ嵌合させることにより、コーナー用のコア式中空パネルの厚さを増すことができる。
【００２７】
また、第２発明のコア式中空パネル用部品は、小口を処理するためのものである。すなわち、第２発明のコア式中空パネル用部品は、帯状の板材がＬ字形に屈曲された小口帯部と、該小口帯部の一面側に一列に整列して厚さ方向に複数突出する小口凸部とからなり、該小口凸部は請求項１乃至４のコア式中空パネルの突出部と受部とが嵌合された嵌合部に嵌合されることにより、該コア式中空パネルの小口が該小口帯部によって遮蔽可能とされており、プラスチック素材から一体成型されていることを特徴とする。
【００２８】
このコア式中空パネル用部品の小口凸部をコア式中空パネルの突出部と受部とが嵌合された嵌合部に嵌合させることにより、コア式中空パネルの小口を小口帯部によって遮蔽させることができる。このため、小口が帯状のすっきりした形状となる。また、このコア式中空パネル用部品はプラスチック素材から一体成型されているため、製造工程数が少なくて手間がかからず、製造コストも低廉となる。
【発明を実施するための最良の形態】
【００２９】
以下、本発明を具体化した実施形態を図面を参照しつつ説明する。
【００３０】
＜コア式中空パネルの実施形態＞
【００３１】
（実施形態１）  このコア式中空パネルは、図１及び図２に示す略板形状の雄板部材１と、図３及び図４に示す略板形状の雌板部材２とから構成されている。雄板部材１及び雌板部材２はともにプラスチックのプレス成型によって一体成型されている。プラスチックの種類については、ポリプロピレン、ポリエチレン、塩化ビニル樹脂等、目的に応じて適宜選択することができる。
【００３２】
図１及び図２に示すように、雄板部材１は薄板形状の表面部材１ａを備えており、表面部材１ａの一面側には、碁盤目状に縦横等間隔で切込１ｂが入っている。切込１ｂの深さは表面部材１ａの厚みの半分程度とされている（図１５参照）。切込１ｂで仕切られた最小単位の正方形内には、表面部材１ａから突出する突出部１ｃが形成されている。突出部１ｃは図５、図６、図１１及び図１２に示すように、断面がＸ字形状となるように互いに中央で直角に交差する二枚の矩形板が表面部材１ａの厚さ方向に垂設された構造とされており、突出部１ｃを構成する矩形板の長さ方向の両端は断面が円形の円柱部１ｄが延在している。また、表面部材１ａの他面側は、凹凸の無い平滑面とされている。
【００３３】
図３及び図４に示すように、雌板部材２は薄板状の表面部材２ａを備えており、表面部材２ａの一面側には、雄板部材１と同様、碁盤目状に縦横等間隔で切込２ｂが入れられている。切込２ｂの深さは、表面部材２ａの厚みの半分程度とされている（図１５参照）。図７〜９、図１３及び図１４に示すように、切込２ｂで仕切られた最小単位の正方形内には、表面部材２ａから突出して受部２ｃが形成されている。受部２ｃは、切込２ｂで仕切られた最小単位の正方形よりも少し小さい正方形の枠が表面部材２ａの厚さ方向に垂設された構造とされている。また、表面部材２ａの他面側は、凹凸の無い平滑面とされている。
【００３４】
上記の雄板部材１（図１及び図２参照）と雌板部材２（図３及び図４参照）とは、図１０に示すように、雄板部材１の突出部１ｃの四隅に設けられた円柱１ｄが雌板部材２の受部２ｃの正方形枠内の四隅に当接して突出部１ｃと受部２ｃとが嵌合することによって一体化され、コア式中空パネルを形成するようになっている。
【００３５】
以上のように構成された実施形態のコア式中空パネルは、雄板部材１と雌板部材２とを単に嵌合させるだけで製造することができる。しかも、各板部材はプラスチック素材からプレス成型という単一工程によって製造することができる。このため、接着工程や溶接工程といった面倒な工程を経ることなく、極めて短い工程で製造することができ、製造コストが低廉なものとなる。また、接着剤を用いていないため、シックハウスを引き起こすこともない。
【００３６】
また、このコア式中空パネルの表面に対して垂直方向に加重が掛かった場合、撓みが生じ、これにより雄板部材１及び雌板部材２に対して引張応力及び圧縮応力が働く。このため、摩擦力で嵌合している突出部１ｃは受部２ｃから斜め方向に飛び出そうとするが、飛び出そうとする力が強ければ強いほど摩擦力が強くなり、弱いと摩擦力は弱くなり、力のバランスが保たれる。このため、突出部１ｃ及び受部２ｃの嵌合は強固なものとなる。なお、この場合において突出部１ｃの長さは長いほど受部２ｃから抜け難くなるため、強度的には有利となる。
【００３７】
また、雄板部材１及び雌板部材２には、縦横に切込１ｂ、２ｂが入っているため、その切込１ｂ、２ｂに沿ってカッターナイフやハサミなどを用いて簡単に切断することができる。このため、施工現場における目的に応じて雄板部材１及び雌板部材２を望みの大きさ及び形状とすることができる。また製造工場においては、目的用途ごとに異なるコア式中空パネルをいくつも用意するという必要がない。したがって、コア式中空パネルの製造コストをより低廉なものとすることができる。
【００３８】
また、不要となったコア式中空パネルを再利用する場合、嵌合部分を外して雄板部材１と雌板部材２とに分解し、さらに、切込１ｂ、２ｂに沿って新たな目的に応じた大きさ及び形状の雄板部材と雌板部材とした後、再び嵌合させることによって、新たな目的のコア式中空パネルを容易に作ることができる。このため、不要となったコア式中空パネルの再利用がさらに容易となる。また、コア式中空パネルを廃棄する場合においても、嵌合部分を外して雄板部材１と雌板部材２とに分解し、さらに切込１ｂ、２ｂに沿って小さく切断することができる。このため、粗大ゴミ扱いとせずに一般の不燃ゴミとして処分することができ、廃棄処分も低コストで行うことができる。
【００３９】
（実施形態２）  実施形態２のコア式中空パネルは、直角部分を有するコーナー用のコア式中空パネルである。このコア式中空パネルは、略板形状の雄板部材１１（図１６及び図１７参照）と、略板形状の雌板部材１２（図３及び図４参照）とから構成されている。
【００４０】
雄板部材１１は、突出部１ｃが一列分欠けた状態の欠落部１１ａが設けられている点においてのみ、図１及び図２に示す実施形態１に係る雄板部材１と異なる。その他の構成は実施形態１に係る雄板部材１と同様であり、同一の構成については同一の符号を付して詳細な説明を省略する。
【００４１】
また、図３及び図４に示すように、雌板部材１２は、雌板部材２と同じであり、同一の符号を付して詳細な説明を省略する。
【００４２】
これら雄板部材１１と雌板部材１２とを折り曲げつつ互いに嵌合させることによって、直角に屈曲したコア式中空パネルが形成される。すなわち図１８Ａに示すように、雄板部材１１を欠落部１１ａに近接する切込１ｂに沿って欠落部１１ａ側に折り曲げ、雌板部材１２を切込２ｂに沿って受部２ｃと反対側に直角に屈曲させる。そして、図２０Ａ〜Ｃに示すように、互いに整合する突出部１ｃ及び受部２ｃを一端側から他端側へと順次嵌合させる。こうして、図２０ｃに示す直角部分を有するコーナー用のコア式中空パネルが形成される。
【００４３】
（実施形態３）  実施形態３のコア式中空パネルも、実施形態２のコア式中空パネルと同様、直角部分を有するコーナー用のコア式中空パネルである。このコア式中空パネルは、図１９及び図２０に示すように、略板形状の雌板部材２２（図１９及び図２０参照）と、略板形状の雄板部材２１（図１及び図２参照）とから構成されている。
【００４４】
雌板部材２２は、受部１ｃが一列分欠けた状態の欠落部２２ａが設けられていることだけが、図３及び図４に示す実施形態１に係る雌板部材２と異なる。その他の構成は実施形態１に係る雌板部材２と同様であり、同一の構成については同一の符号を付して詳細な説明を省略する。
【００４５】
また、図１及び図２に示すように、雄板部材２１は、雄板部材１と同じであり、同一の符号を付して詳細な説明を省略する。
【００４６】
これら雌板部材２２と雄板部材２１とを、実施形態２のコア式中空パネルと同様に、折り曲げつつ互いに嵌合させることによって、直角に屈曲したコア式中空パネルとすることができる。
【００４７】
＜第１発明のコア式中空パネル用部品の実施形態＞
【００４８】
（実施形態４）  実施形態４のコア式中空パネル用部品は、図２１〜２３に示すように、薄板状の表面部材３１と、表面部材３１の一面側に突出する突出部３２と、表面部材３１の他面側に突出する受部３３とから構成されている。このコア式中空パネル用部品は、プラスチックのプレス成型によって一体成型されている。
【００４９】
突出部３２及び受部３３は、実施形態１のコア式中空パネルにおける突出部１ｃ（図５及び図６参照）及び受部２ｃ（図７及び図８参照）と同様の形状とされており、同一の構成については同一の符号を付して詳細な説明を省略する。また、表面部材３１における突出部３２間及び受部３３間には、碁盤目状に縦横等間隔で切込３１ａ、３１ｂが入れられている。
【００５０】
図２４及び図２５に示すように、このコア式中空パネル用部品を実施形態１のコア式中空パネルに係る雄板部材１と雌板部材２との間に配置し、受部３３を雄板部材１の突出部１ｃに嵌合させ、突出部３２を雌板部材２の受部２ｃに嵌合させることにより、コア式中空パネルの厚さを２倍にすることができる（図２４Ｂ参照）。また、このコア式中空パネル用部品を複数枚用意し、突出部３２と受部３２とを嵌合させてコア式中空パネル用部品を積み重ね、さらにその積み重ねられたコア式中空パネル用部品を雄板部材１及び雌板部材２に嵌合させることにより、コア式中空パネルの厚さをさらに大きくすることができる。
【００５１】
（実施形態５）  実施形態５のコア式中空パネル用部品は、実施形態２で示したコーナー用のコア式中空パネルの厚さを増すための部品である。このコア式中空パネル用部品は、図２６に示すように、突出部３２が一列分だけ欠落した欠落部３４を有している点のみが実施形態４のコア式中空パネル用部品と異なる。その他の構成は実施形態４に係るコア式中空パネル用部品と同様であり、同一の構成については同一の符号を付して詳細な説明を省略する。
【００５２】
このコア式中空パネル用部品は、図２６に示すように、欠落部３４に近接する切込３１ａ、３１ｂに沿って欠落部３４側に直角に折り曲げることができる。こうして折り曲げられたコア式中空パネル用部品を、図１８に示す実施形態２のコーナー用のコア式中空パネルにおける雄板部材１１と雌板部材１２との間に配置させ、突出部３２を受部２ｃへ嵌合させ、受部３３を突出部１ｃに嵌合させることにより、実施形態２のコーナー用のコア式中空パネルの厚さを増すことができる。
【００５３】
なお、実施形態５の変形例として、図２７に示すように、受部３３側が一列分だけ欠落した欠落部３５を有したコア式中空パネル用部品も、コーナー用のコア式中空パネルの厚さを増すための部品として用いることができる。すなわち、この部品は、実施形態３で示したコーナー用のコア式中空パネル（図１９及び図２０参照）の厚さを増すための部品として、同様に用いることができる。
【００５４】
＜第２発明のコア式中空パネル用部品の実施形態＞
【００５５】
（実施形態６）  実施形態６のコア式中空パネル用部品は、実施形態１のコア式中空パネルの小口を処理するためのものである。このコア式中空パネル用部品は、プラスチック素材から一体成型されており、図２８、２９に示すように、帯状の板材がＬ字に屈曲された小口帯部４１と、小口帯部４１の内面側に一列に整列して厚さ方向に複数突出する小口凸部４２とから構成されている。小口凸部４２は、実施形態１のコア式中空パネルに係る雌板部材２の受部２ｃ（図１０参照）よりも少し大きめの正方形型の枠が小口帯部４１の厚さ方向に垂設された構造とされており、雌板部材２の受部２ｃと嵌合可能とされている。一方、小口帯部４１の外側面は、凹凸の無い平滑面とされている。
【００５６】
このコア式中空パネル用部品は、図３０に示すように、実施形態１のコア式中空パネルの雄板部材１と雌板部材２との間に配置させ、小口内部の構造を見えないようにすることができる。すなわち、このコア式中空パネル用部品を図３０に示すように、実施形態１のコア式中空パネルに係る雄板部材１と雌板部材２との間に配置させ（図３０Ａ参照）、小口凸部４２を雌板部材２の受部２ｃと嵌合させ（図３０Ｂ参照）、さらに雄板部材１の突出部１ｃを受部２ｃに嵌合させることによって、小口部分を外部から見て平滑な面とし、内部が見えないようにすることができる（図３０Ｃ参照）。このようにして、実施形態６のコア式中空パネル用部品を用いて小口の処理を行うことができる。
【産業上の利用可能性】
【００５７】
本発明のコア式中空パネル及びコア式中空パネル用部品は、建築内外装材料、建具、家具、子供用遊具、教育用造形材料等、様々な産業分野における工業デザイン造形物の構成要素として利用できる。
【図面の簡単な説明】
【００５８】
【図１】実施形態１及び３のコア式中空パネルに係る雄板部材の平面図である。
【図２】実施形態１及び３のコア式中空パネルに係る雄板部材の側面図である。
【図３】実施形態１及び２のコア式中空パネルに係る雌板部材の平面図である。
【図４】実施形態１及び２のコア式中空パネルに係る雌板部材の側面図である。
【図５】実施形態１のコア式中空パネルに係る雄板部材の一部拡大平面図である。
【図６】実施形態１のコア式中空パネルに係る雄板部材の一部拡大側面図である。
【図７】実施形態１のコア式中空パネルに係る雌板部材の一部拡大平面図である。
【図８】実施形態１のコア式中空パネルに係る雌板部材の一部拡大側面図である。
【図９】図７におけるａ−ａ'矢視断面図である。
【図１０】実施形態１のコア式中空パネルの組立方法を示す一部拡大斜視図である。
【図１１】実施形態１のコア式中空パネルに係る雄板部材の一部拡大平面図である。
【図１２】実施形態１のコア式中空パネルに係る雄板部材の一部拡大側面図である。
【図１３】実施形態１のコア式中空パネルに係る雌板部材の一部拡大平面図である。
【図１４】実施形態１のコア式中空パネルに係る雌板部材の一部拡大側面図である。
【図１５】実施形態１に係る雄板部材及び雌板部材の切込部分の拡大断面図である。
【図１６】実施形態２のコア式中空パネルに係る雄板部材の折り曲げ前後における側面図である。
【図１７】実施形態２のコア式中空パネルに係る雄板部材の折り曲げ後における平面図である。
【図１８】実施形態２のコア式中空パネルの組立方法を示す側面図である。
【図１９】実施形態３のコア式中空パネルに係る雌板部材の折り曲げ前後における側面図である。
【図２０】実施形態３のコア式中空パネルに係る雌板部材の折り曲げ後における平面図である。
【図２１】実施形態４のコア式中空パネル用部品の側面図である。
【図２２】実施形態４のコア式中空パネル用部品の平面図である。
【図２３】実施形態４のコア式中空パネル用部品の底面図である。
【図２４】実施形態４のコア式中空パネル用部品の使用方法を示す側面図である。
【図２５】実施形態４のコア式中空パネル用部品の使用方法を示す一部拡大斜視図である。
【図２６】実施形態５のコア式中空パネル用部品の折り曲げ前後の側面図である。
【図２７】実施形態５のコア式中空パネル用部品の変形例の折り曲げ前後の側面図である。
【図２８】実施形態６のコア式中空パネル用部品の平面図である。
【図２９】実施形態６のコア式中空パネル用部品の側面図である。
【図３０】実施形態６のコア式中空パネル用部品の使用方法を示す斜視図である。
【図３１】従来のコア式中空パネルの分解斜視図である。
【符号の説明】
【００５９】
１、１１、２１、３１  雄板部材  １ｃ、１１ｃ、３２  突出部  ２、１２、２２、３２  雌板部材  ２ｃ、３３  受部  １ｂ、２ｂ、３１ｂ  切込  １１ａ、２２ａ、３４、３５  欠落部  ４１  小口帯部  ４２  小口凸部
【図１】
2006057418.tif 000003
【図２】
2006057418.tif 000004
【図３】
2006057418.tif 000005
【図４】
2006057418.tif 000006
【図５】
2006057418.tif 000007
【図６】
2006057418.tif 000008
【図７】
2006057418.tif 000009
【図８】
2006057418.tif 000010
【図９】
2006057418.tif 000011
【図１０】
2006057418.tif 000012
【図１１】
2006057418.tif 000013
【図１２】
2006057418.tif 000014
【図１３】
2006057418.tif 000015
【図１４】
2006057418.tif 000016
【図１５】
2006057418.tif 000017
【図１６】
2006057418.tif 000018
【図１７】
2006057418.tif 000019
【図１８】
2006057418.tif 000020
【図１９】
2006057418.tif 000021
【図２０】
2006057418.tif 000022
【図２１】
2006057418.tif 000023
【図２２】
2006057418.tif 000024
【図２３】
2006057418.tif 000025
【図２４】
2006057418.tif 000026
【図２５】
2006057418.tif 000027
【図２６】
2006057418.tif 000028
【図２７】
2006057418.tif 000029
【図２８】
2006057418.tif 000030
【図２９】
2006057418.tif 000031
【図３０】
2006057418.tif 000032
【図３１】
2006057418.tif 000033